(57)【要約】【課題】スラット全閉状態の際のボトムレールの幅を小さくし、スラットを下端部まで全開状態として遮光性を高くすることのできるブラインド及びブラインド内蔵型複層ガラスを提供する。【解決手段】縦方向複数のスラット２０を、スラットの幅方向に対向する一組の縦紐２１ａ，２１ｂを有したラダーコード２１で角度可変に支持し、ラダーコード２１はスラット２０の長手方向に伸びる回転軸２２の回転に連動して一組の縦紐２１ａ，２１ｂが上下逆方向に変位し、支持するスラット２０の角度を変化させるものであって、ラダーコード２１の下端部にはスラット２０の長手方向に沿うボトムレール２４が設けられ、ボトムレール２４はスラット２０と略同幅でラダーコード２１の下端部が固定される下面部２４ａと、下面部２４ａから上方に向かって先細状に伸びる上方部２４ｂとからなる。【選択図】図６
2013227803.tif 000002
【特許請求の範囲】
【請求項１】
縦方向複数のスラットを、該スラットの幅方向に対向する一組の縦紐を有したラダーコードで角度可変に支持し、該ラダーコードは前記スラットの長手方向に伸びる回転軸の回転に連動して前記一組の縦紐が上下逆方向に変位し、支持する前記スラットの角度を変化させるブラインドにおいて、
前記ラダーコードの下端部には前記スラットの長手方向に沿うボトムレールが設けられ、該ボトムレールは前記スラットと略同幅で前記ラダーコードの下端部が固定される下面部と、該下面部から上方に向かって先細状に伸びる上方部とからなることを特徴とするブラインド。
【請求項２】
前記上方部は前記下面部から上面部に向かう傾斜面部を有してなることを特徴とする請求項１記載のブラインド。
【請求項３】
前記ボトムレールは、前記スラットの全開状態での角度における垂直投影幅が、前記スラットと略同幅であり、前記スラットの全閉状態での角度における垂直投影幅が、前記スラットの全閉状態における垂直投影幅と略同幅であることを特徴とする請求項１または２記載のブラインド。
【請求項４】
２枚のガラス板を対向配置して、該２枚のガラス板間に空間部を形成し、該空間部内に請求項１〜３のいずれか１項に記載のブラインドを納めてなることを特徴とするブラインド内蔵型複層ガラス。
【発明の詳細な説明】
【技術分野】
【０００１】
本発明は、縦方向複数のスラットをラダーコードで角度可変に支持したブラインド及びブラインド内蔵型複層ガラスに関し、特にラダーコードの下端部に重量を付加してスラットを安定的に動作させるボトムレールを備えたブラインド及びブランド内蔵型複層ガラスに関する。
【背景技術】
【０００２】
ブラインドは、縦方向複数のスラットを、該スラットの幅方向に対向する一組の縦紐を有したラダーコードで角度可変に支持し、ラダーコードは上端部が回転軸と連動する回転部品に支持されて構成される。外部からの操作によって回転部品が回転するのに伴い、一組の縦紐が上下逆方向に変位され、ラダーコードに支持されたスラットがそれぞれ一方向に傾斜し、開閉を行うことができる。
【０００３】
ブラインドは、窓サッシの室内側に設けられることが多いが、窓サッシを構成する複層ガラス内に形成される空間部に納められて、室内側からの操作によってスラットを開閉させるものも知られている。かかるブラインド及びブラインド内蔵型複層ガラスとしては、例えば特許文献１に挙げるようなものがある。
【先行技術文献】
【特許文献】
【０００４】
【特許文献１】特開２０１０−２２２９２４号公報
【発明の概要】
【発明が解決しようとする課題】
【０００５】
ブラインドでは、ラダーコードが上端部で支持され、縦紐が変位されるので、ラダーコードの下端部にボトムレールを設けて重量を付加することにより、下端部のスラットまで安定的に開閉させることができる。ボトムレールは、スラットと略同幅の断面略方形状に形成され、その下面側両端部にそれぞれ縦紐が固定される。このため、ボトムレールはラダーコードを下端部において幅方向に規制する機能も有する。一組の縦紐を上下逆方向に変位させると、ボトムレールはスラットと共に回転する。
【０００６】
従来のブラインドにおいては、ボトムレールは断面略方形状であった。図７には、ボトムレール６０を方形状に形成した場合の、スラット２０の全閉状態におけるブラインドの下端部付近拡大縦断面図を示している。この図において、スラット２０を全閉としたときのボトムレール６０の垂直投影幅Ｘ２は、ボトムレール６０の上面部６０ｂの一端部から下面部６０ａの他端部までの直線距離を垂直投影した距離である。
【０００７】
図７におけるボトムレール６０の垂直投影幅Ｘ２は、スラット２０の全閉状態における垂直投影幅よりも大きい。これにより、ラダーコード２１下端部の幅が大きくなってしまうため、下端部付近に配置されたスラット２０が全閉になりきれない。図７では、下端のスラット２０がなす角度はα２であるが、これは本来、スラット２０が全閉状態となるときの角度α１よりも小さい。このため、ブラインドの下端付近において遮光性が低下するという問題があった。
【０００８】
本発明は前記課題を鑑みてなされたものであり、スラット全閉状態の際のボトムレールの幅を小さくし、スラットを下端部まで全開状態として遮光性を高くすることのできるブラインド及びブラインド内蔵型複層ガラスを提供することを目的とする。
【課題を解決するための手段】
【０００９】
前記課題を解決するため、本発明に係るブラインドは、縦方向複数のスラットを、該スラットの幅方向に対向する一組の縦紐を有したラダーコードで角度可変に支持し、該ラダーコードは前記スラットの長手方向に伸びる回転軸の回転に連動して前記一組の縦紐が上下逆方向に変位し、支持する前記スラットの角度を変化させるブラインドにおいて、
前記ラダーコードの下端部には前記スラットの長手方向に沿うボトムレールが設けられ、該ボトムレールは前記スラットと略同幅で前記ラダーコードの下端部が固定される下面部と、該下面部から上方に向かって先細状に伸びる上方部とからなることを特徴として構成されている。
【００１０】
また、本発明に係るブラインドは、前記上方部は前記下面部から上面部に向かう傾斜面部を有してなることを特徴として構成されている。
【００１１】
さらに、本発明に係るブラインドは、前記ボトムレールは、前記スラットの全開状態での角度における垂直投影幅が、前記スラットと略同幅であり、前記スラットの全閉状態での角度における垂直投影幅が、前記スラットの全閉状態における垂直投影幅と略同幅であることを特徴として構成されている。
【００１２】
さらにまた、本発明に係るブラインド内蔵型複層ガラスは、２枚のガラス板を対向配置して、該２枚のガラス板間に空間部を形成し、該空間部内に前記いずれかのブラインドを納めてなることを特徴として構成されている。
【発明の効果】
【００１３】
本発明に係るブラインドによれば、下面部の幅でラダーコード下端部の幅を規制しつつ、ボトムレールが回転した際には、上方部においてラダーコード下端部の幅を規制し、上方部の幅が先細状となっているから、ラダーコードの幅を狭くすることができ、スラットを下端部まで全開状態となるように幅規制して遮光性を高くすることができる。
【００１４】
また、本発明に係るブラインドによれば、上方部は下面部から上面部に向かう傾斜面部を有してなることにより、ボトムレールが回転した際に、ラダーコードが傾斜面部に沿い、ラダーコードの下端部を安定的に変位させると共に、幅を確実に規制することができる。
【００１５】
さらに、本発明に係るブラインドによれば、ボトムレールは、スラットの全開状態での角度における垂直投影幅が、スラットと略同幅であり、スラットの全閉状態での角度における垂直投影幅が、スラットの全閉状態における垂直投影幅と略同幅であることにより、スラットの開閉に伴いラダーコードの下端部をスラットの垂直投影幅に合わせて規制することができる。
【図面の簡単な説明】
【００１６】
【図１】ブラインド内蔵型複層ガラスの斜視図である。
【図２】ブラインド内蔵型複層ガラスを保持した障子の縦断面図である。
【図３】ブラインド内蔵型複層ガラスを保持した障子の横断面図である。
【図４】ブラインドの上辺一側部付近拡大斜視図である。
【図５】スラットの全開状態におけるブラインド内蔵複層ガラスの下端部付近拡大縦断面図である。
【図６】スラットの全閉状態におけるブラインド内蔵複層ガラスの下端部付近拡大縦断面図である。
【図７】ボトムレールを方形状に形成した場合の、スラットの全閉状態におけるブラインドの下端部付近拡大縦断面図である。
【発明を実施するための形態】
【００１７】
本発明の実施形態について図面に沿って詳細に説明する。本実施形態では、２枚のガラス板１０，１０間に空間部１２を形成し、該空間部１２内にブラインド４を納めてなるブラインド内蔵型複層ガラス１について説明する。このブラインド内蔵型複層ガラス１は、サッシを構成する障子に納められるものである。図１には、ブラインド内蔵型複層ガラス１の斜視図を示している。
【００１８】
図１に示すように、ブラインド内蔵型複層ガラス１は、ガラス板１０を有し内部にブラインド４を納めたガラス体２と、ブラインド４の開閉操作を行うための開閉機構を内部に備えた操作体３とが、横方向に連結して構成されている。操作体３には、上下方向にスライド操作自在な操作部４４が設けられており、操作部４４をスライド操作することにより、操作体３内の操作機構が動作し、操作機構と連動してブラインド４が開閉する。ブラインド４は、縦方向複数のスラット２０が２つのラダーコード２１で角度可変に支持されている。
【００１９】
図２にはブラインド内蔵型複層ガラス１を保持した障子の縦断面図を、図３にはブラインド内蔵型複層ガラス１を保持した障子の横断面図を、それぞれ示している。障子は、上框５０と下框５１及び左右の縦框５２，５２を方形状に框組みしてなる框体５内に、ブラインド内蔵型複層ガラス１を保持して構成されている。
【００２０】
上框５０は、室外側の金属上框５０ａと室内側の樹脂上框５０ｂにより構成されており、内周面にはブラインド内蔵型複層ガラス１の外周縁部を保持するガラス収納溝５０ｃが形成される。下框５１は、室外側の金属下框５１ａと室内側の樹脂下框５１ｂにより構成されており、内周面にはブラインド内蔵型複層ガラス１の外周縁部を保持するガラス収納溝５１ｃが形成される。また、縦框５２は、室外側の金属縦框５２ａと室内側の樹脂縦框５２ｂにより構成されており、内周面にはブラインド内蔵型複層ガラス１の外周縁部を保持するガラス収納溝５２ｃが形成される。
【００２１】
ブラインド内蔵型複層ガラス１は、ガラス収納溝５０ｃ，５１ｃ，５２ｃに納められるガラス押さえ部品５３を介して外周縁部が挟持固定されている。ガラス押さえ部品５３は、ゴム材料により断面略コ字状に形成され、室内外面がそれぞれブラインド内蔵型複層ガラス１の室内外面に圧接し、挟持固定している。
【００２２】
ブラインド内蔵型複層ガラス１を構成するガラス体２は、２枚のガラス板１０，１０を室内外に対向配置し、封止部１１によって両者を一体化すると共に、ガラス板１０，１０間に空間部１２を形成している。
【００２３】
空間部１２の上辺には、断面略コ字状の上端部品２５が長手方向に沿って設けられており、下辺には断面コ字状の下端部品２６が長手方向に沿って設けられている。また、空間部１２の左右縦辺には、それぞれ断面コ字状の縦端部部品２７，２７が長手方向に沿って設けられている。これらは、ガラス体２の強度向上を図ると共に、ブラインド４の四周周縁部を室内外から覆うことで、意匠性の向上を図るために設けられている。
【００２４】
図２は、スラット２０が全開の状態を表している。複数のスラット２０は、いずれも同形状で同幅に形成されており、全開の際には水平に配置されている。ラダーコード２１は、スラット２０の幅方向に対向する一組の縦紐２１ａ，２１ｂと、一組の縦紐２１ａ，２１ｂ間に渡される横紐２１ｃとを有し、横紐２１ｃ上にスラット２０が載置され支持されている。
【００２５】
ラダーコード２１の上端部は、スラット２０の長手方向に延びる回転軸２２と共に回転する回転部品２３に固定されている。回転軸２２及び回転部品２３は、上端部品２５内に収納されていて、ガラス体２の外方からは見えないように配置されている。
【００２６】
回転部品２３は、一方向に長い扁平状に形成されており、それぞれ断面弧状をなす上面部２３ａと下面部２３ｂを有し、これらの両端部には、それぞれ一組の縦紐２１ａ，２１ｂが固定されてこれらを支持する支持端部２３ｃ，２３ｄが設けられている。回転部品２３は、両支持端部２３ｃ，２３ｄが離隔する一方向の幅がスラット２０の幅と略同幅であり、該一方向と直交する方向の幅がスラット２０の幅よりも小さくなるように形成されている。
【００２７】
図２に示されているように、ラダーコード２１の下端部には、長手方向に沿ってボトムレール２４が設けられている。ボトムレール２４は、スラット２０の幅と略同幅に形成されており、下面側に一組の縦紐２１ａ，２１ｂがそれぞれ固定される。ボトムレール２４が設けられていることにより、ラダーコード２１の下部に重量を付加し、上端部で支持された一組の縦紐２１ａ，２１ｂにテンションを与えることによって、一組の縦紐２１ａ，２１ｂを安定的に上下逆方向に変位させ、下端部のスラット２０まで安定的に開閉させることができる。また、ボトムレール２４は、ラダーコード２１の一組の縦紐２１ａ，２１ｂ間の下端部での幅を規制する機能も有している。その詳細については後述する。
【００２８】
図３に示すように、操作体３の縦框５２に保持される外周縁部は、ガラス体２と略同厚となるように形成されている。これにより、ガラス体２と操作体３とを一体化してなるブラインド内蔵複層ガラス１を、通常のガラス体と同様に、框体５内に納めることができる。
【００２９】
図４には、ブラインド４の上辺一側部付近拡大斜視図を示している。この図に示すように、回転軸２２の一端部には、ガラス体２の外部における操作に伴い発生する回転動作を回転軸２２に伝達する操作連動体３０が設けられている。操作連動体３０は、２枚のガラス板１０，１０間の空間部１２内に配置され、一部がガラス体２の外部に露出する。
【００３０】
回転部品２３は、ラダーコード２１の上端部に配置されるピース状の部品として構成されており、回転軸２２が挿入されてこれと一体化する軸挿入部２３ｅがスラット２０の長手方向に沿って形成されている。また、前述のように、回転部品２３の両端部には、一組の縦紐２１ａ、２１ｂを支持する支持端部２３ｃ，２３ｄが設けられており、回転部品２３でラダーコード２１を吊り下げた状態としている。
【００３１】
ボトムレール２４の構成につき、より詳細に説明する。図５には、スラット２０の全開状態におけるブラインド内蔵複層ガラス１の下端部付近拡大縦断面図を示している。ボトムレール２４は、断面略台形状をなし、長手方向に同形状となる長尺状に形成されている。ボトムレール２４の下底側の面を構成する下面部２４ａには、一組のラダーコード２１，２１の下端部が固定される。また、下面部２４ａから上方に向かって先細状に伸びる上方部２４ｂが形成され、下面部２４ａ及び上方部２４ｂによって断面略台形状をなしている。上方部２４ｂは、ボトムレール２４の上底側の面を構成する上面部２４ｄと下面部２４ａとの間が、傾斜面部２４ｃ，２４ｃによって構成されており、これによって上方に向かう先細状となっている。
【００３２】
ボトムレール２４の下面部２４ａは、スラット２０と略同幅に形成されている。このため、スラット２０の全開状態において、一組の縦紐２１ａ，２１ｂは、下端部でスラット２０の幅に規制される。前述のように、一組の縦紐２１ａ，２１ｂは、上端部でもスラット２０の幅に規制されているから、一組の縦紐２１ａ，２１ｂは、上端部から下端部に渡り、スラット２０の幅と略同幅で離隔し、スラット２０を水平状態で保持することができる。
【００３３】
図６には、スラット２０の全閉状態におけるブラインド内蔵複層ガラス１の下端部付近拡大縦断面図を示している。操作機構４０によって回転軸２２を回転させると、縦紐２１ａは上方に、縦紐２１ｂは下方にそれぞれ変位する。すなわち、一組の縦紐２１ａ、２１ｂは上下逆方向に変位する。それに伴い、横紐２１ｃが傾斜し、それによってスラット２０も傾斜して、室内外の光を遮る全閉状態となる。
【００３４】
ボトムレール２４には、下面部２４ａの両側に縦紐２１ａの下端部及び縦紐２１ｂの下端部がそれぞれ固定されているから、これらの上下逆方向の変位に伴い、下面部２４ａが傾斜し、全体としては回転する。このときのボトムレール２４の垂直投影幅Ｘ１は、上面部２４ｄの一端部から下面部２４ａの他端部までの直線距離を垂直投影した距離となる。
【００３５】
ボトムレール２４は、上方部２４ｂが下面部２４ａから上方に向かう先細状に形成されているので、断面略方形状とした場合に比べて、上面部２４ｄが短く、また、下面部２４ａと上面部２４ｄが傾斜面部２４ｃでつながれているので、下面部２４ａ側に向かう縦紐２１ｂが、傾斜面部２４ｃに沿うこととなり、縦紐２１ａ，２１ｂ間の幅を、確実に上面部２４ｄの一端部から下面部２４ａの他端部までの直線距離を垂直投影した距離であるＸ１に規制することができる。これによって、スラット２０が全閉状態となったときの垂直投影幅Ｘ１を、全閉状態のスラット２０の垂直投影幅と略同じとすることができる。
【００３６】
したがって、ラダーコード２１下端部付近のスラット２０がなす角度α１は、従来のボトムレール２４を有する図７において、ラダーコード２１下端部付近のスラット２０がなす角度α２よりも大きく、それより上方のスラット２０がなす角度と同じとなるから、下端部のスラット２０まで確実に全閉状態として、遮光性を低下させないようにすることができる。
【００３７】
本実施形態では、ボトムレール２４には、上面部２４ｄの両側に傾斜面部２４ｃが形成されて、図５においてボトムレール２４が左右対称な形状となっている。このため、ボトムレール２４がどちらに回転しても、ラダーコード２１の下端部を同様に幅規制することができる。すなわち、本実施形態ではスラット２０を全閉状態とする際に、ラダーコード２１の縦紐２１ａが上方に、縦紐２１ｂが下方に、それぞれ変位するのに対し、それぞれ縦紐２１ａ，２１ｂが逆に変位するブラインド４であっても、同じボトムレール２４で同様に幅規制の機能を持たせることができて、部品の共用化を図ることができる。
【００３８】
以上、本発明の実施形態について説明したが、本発明の適用は本実施形態には限られず、その技術的思想の範囲内において様々に適用されうるものである。本実施形態では、複層ガラス内に納められるブラインド４につき説明したが、単体で設けられる通常のブラインドであっても、本発明を適用することができ、下端部付近のスラットを全閉状態として遮光性の高いブラインドとすることができる。
【符号の説明】
【００３９】
１    ブラインド内蔵型複層ガラス
２    ガラス体
３    操作体
４    ブラインド
５    框体
１０    ガラス板
１１    封止部
１２    空間部
２０    スラット
２１    ラダーコード
２１ａ  縦紐
２１ｂ  縦紐
２１ｃ  横紐
２２    回転軸
２３    回転部品
２４    ボトムレール
２４ａ  下面部
２４ｂ  上方部
２４ｃ  傾斜面部
２４ｄ  上面部
５０    上框
５１    下框
５２    縦框
５３    ガラス押さえ部品
６０    ボトムレール
【図１】
2013227803.tif 000003
【図２】
2013227803.tif 000004
【図３】
2013227803.tif 000005
【図４】
2013227803.tif 000006
【図５】
2013227803.tif 000007
【図６】
2013227803.tif 000008
【図７】
2013227803.tif 000009